(57)【要約】【課題】用紙種類に拘わらず用紙を適切に給送できる記録装置を提供する。【解決手段】記録装置は、媒体を給送する給送ローラーと、媒体を載置するとともに載置した媒体を押し上げて前記給送ローラーに当接させる給送状態と媒体を前記給送ローラーから離間させる待機状態とを切り換え可能な媒体載置部と、前記媒体載置部に載置された媒体の先端位置を規制する先端規制部と、を備え、前記先端規制部が、媒体の先端から離れる方向に変位可能な変位部と、変位しない固定部とを備える。【選択図】図７
2017145070.tif 000002
【特許請求の範囲】
【請求項１】
媒体を給送する給送ローラーと、
媒体を載置するとともに載置した媒体を押し上げて前記給送ローラーに当接させる給送状態と媒体を前記給送ローラーから離間させる待機状態とを切り換え可能な媒体載置部と、
前記媒体載置部に載置された媒体の先端位置を規制する先端規制部と、を備え、
前記先端規制部が、媒体の先端から離れる方向に変位可能な変位部と、変位しない固定部とを備える、
ことを特徴とする記録装置。
【請求項２】
請求項１に記載の記録装置において、前記変位部は、前記媒体載置部の前記待機状態から前記給送状態への切り換え動作中の少なくとも一定期間において媒体の先端と接触しない位置に退避している、
ことを特徴とする記録装置。
【請求項３】
請求項２に記載の記録装置において、前記変位部は、前記媒体載置部の前記待機状態から前記給送状態への切り換え動作の開始前に媒体の先端と接触しない位置への退避を完了する、
ことを特徴とする記録装置。
【請求項４】
請求項１から請求項３のいずれか一項に記載の記録装置において、前記変位部は、前記媒体載置部の前記給送状態から前記待機状態への切り換え動作中の少なくとも一定期間において媒体の先端と接触しない位置に退避している、
ことを特徴とする記録装置。
【請求項５】
請求項１から請求項４のいずれか一項に記載の記録装置において、前記固定部は、媒体給送方向と交差する方向である媒体幅方向において前記給送ローラーの配置位置に対応した位置に設けられている、
ことを特徴とする記録装置。
【請求項６】
請求項１から請求項５のいずれか一項に記載の記録装置において、前記固定部は、媒体給送方向と交差する方向である媒体幅方向において媒体の中央領域に位置し、
前記変位部は、前記固定部の両側に設けられている、
ことを特徴とする記録装置。
【請求項７】
請求項１から請求項６のいずれか一項に記載の記録装置において、前記媒体載置部に載置された媒体と前記給送ローラーとの接触部より下流側に位置し、前記給送ローラーとの間で媒体をニップして分離する、前記給送ローラーに対して接離可能な分離部を備える、
ことを特徴とする記録装置。
【請求項８】
請求項１から請求項７のいずれか一項に記載の記録装置において、前記媒体載置部に載置された媒体の側端をガイドする一対のエッジガイドを備え、
前記一対のエッジガイドのうち少なくとも一つは、媒体を給送する際、媒体の側端から離れる方向に変位可能に設けられている、
ことを特徴とする記録装置。
【発明の詳細な説明】
【技術分野】
【０００１】
本発明は、媒体に記録を行う記録装置に関する。
【背景技術】
【０００２】
記録装置の一例であるインクジェットプリンターには、媒体の一例としての記録用紙を載置する用紙載置部と、当該用紙載置部から記録用紙を送り出す給送ローラーと、を備えたものがある。特許文献１記載の給送装置では、前記用紙載置部は「ホッパ２０３」に相当し、前記給送ローラーは「ピックアップローラ２５」に相当する。  
ホッパに支持された用紙は、先端がガイド部材に当接し、先端が位置決めされている。
【０００３】
ホッパは回動軸を中心に回動可能に設けられており、回動することにより、支持した用紙のうち最上位の用紙をピックアップローラに当接させる。  
このホッパの上昇過程において、ホッパに支持された用紙は、その先端がガイド部材に摺接しながら押し上げられる。
【先行技術文献】
【特許文献】
【０００４】
【特許文献１】特開２００４−２６９１２４号公報
【発明の概要】
【発明が解決しようとする課題】
【０００５】
用紙には普通紙などの薄手のもののほか、専用紙などの厚手のものがある。厚手の用紙、特にコート紙などは密度が高く、普通紙などの薄手の用紙に比べて、積載高さが同じであっても総重量は増加する。
【０００６】
この様な厚手の用紙を用紙載置部が押し上げる際、押し上げ力が不足し易く、特に用紙先端が摺接する摺接面（特許文献１において当接面５０ａ）と、用紙先端との間の摩擦力が、用紙重量の増加も相俟って用紙載置部による用紙のリフトアップ動作を阻害することとなる。その結果、用紙のリフトアップが行えずノンフィードになる虞や、用紙のリフトアップを行っても用紙と給送ローラーとの間の摩擦力が不足し、やはりノンフィードになる虞がある。  
他方、その様な問題を回避する為に用紙載置部を付勢するばねのばね力を増加させると、逆にリフトアップ状態での用紙間の摩擦力が増加してダブルフィードを招く虞がある。
【０００７】
そこで本発明はこの様な問題に鑑み成されたものであり、その目的は、用紙種類に拘わらず用紙を適切に給送できる記録装置を提供することにある。
【課題を解決するための手段】
【０００８】
上記課題を解決する為の、本発明の第１の態様に係る記録装置は、媒体を給送する給送ローラーと、媒体を載置するとともに載置した媒体を押し上げて前記給送ローラーに当接させる給送状態と媒体を前記給送ローラーから離間させる待機状態とを切り換え可能な媒体載置部と、前記媒体載置部に載置された媒体の先端位置を規制する先端規制部と、を備え、前記先端規制部が、媒体の先端から離れる方向に変位可能な変位部と、変位しない固定部とを備えることを特徴とする。
【０００９】
本態様によれば、前記媒体載置部に載置された媒体の先端位置を規制する先端規制部が、媒体の先端から離れる方向に変位可能な変位部と、変位しない固定部とを備えるので、前記変位部を媒体先端から離れる方向に変位させることにより、前記媒体載置部に載置された媒体先端と前記先端規制部との間の接触面積を減らすことができ、媒体先端と前記先端規制部との間の摩擦力を減らすことができる。その結果、前記媒体載置部を前記待機状態から前記給送状態へ確実に切り換えることができ、媒体の種類に拘わらず適切に媒体給送動作を完了することができる。
【００１０】
本発明の第２の態様は、第１の態様において、前記変位部は、前記媒体載置部の前記待機状態から前記給送状態への切り換え動作中の少なくとも一定期間において媒体の先端と接触しない位置に退避していることを特徴とする。
【００１１】
本態様によれば、前記変位部は、前記媒体載置部の前記待機状態から前記給送状態への切り換え動作中の少なくとも一定期間において媒体の先端と接触しない位置に退避しているので、前記媒体載置部の前記待機状態から前記給送状態への切り換え動作をより確実に行うことができる。
【００１２】
本発明の第３の態様は、第２の態様において、前記変位部は、前記媒体載置部の前記待機状態から前記給送状態への切り換え動作の開始前に媒体の先端と接触しない位置への退避を完了することを特徴とする。
【００１３】
本態様によれば、前記変位部は、前記媒体載置部の前記待機状態から前記給送状態への切り換え動作の開始前に媒体の先端と接触しない位置への退避を完了するので、前記媒体載置部の前記待機状態から前記給送状態への切り換え動作中の全期間において媒体先端と前記先端規制部との間の接触面積を減らすことができ、前記媒体載置部の前記待機状態から前記給送状態への切り換え動作を更に確実に行うことができる。
【００１４】
本発明の第４の態様は、第１から第３の態様のいずれかにおいて、前記変位部は、前記媒体載置部の前記給送状態から前記待機状態への切り換え動作中の少なくとも一定期間において媒体の先端と接触しない位置に退避していることを特徴とする。
【００１５】
本態様によれば、前記変位部は、前記媒体載置部の前記給送状態から前記待機状態への切り換え動作中の少なくとも一定期間において媒体の先端と接触しない位置に退避しているので、前記媒体載置部によって押し上げられた媒体が前記媒体載置部とともに円滑に下降することができる。
【００１６】
本発明の第５の態様は、第１から第３の態様のいずれかにおいて、前記固定部は、媒体給送方向と交差する方向である媒体幅方向において前記給送ローラーの配置位置に対応した位置に設けられていることを特徴とする。
【００１７】
本発明の第６の態様は、第１から第５の態様のいずれかにおいて、前記固定部は、媒体給送方向と交差する方向である媒体幅方向において媒体の中央領域に位置し、前記変位部は、前記固定部の両側に設けられていることを特徴とする。
【００１８】
本態様によれば、前記固定部は、媒体給送方向と交差する方向である媒体幅方向において媒体の中央領域に位置し、前記変位部は、前記固定部の両側に設けられているので、媒体幅方向において前記変位部が媒体先端に対し左右対称に位置することとなり、これにより前記変位部が変位した際の媒体の斜行を抑制できる。
【００１９】
本発明の第７の態様は、第１から第６の態様のいずれかにおいて、前記媒体載置部に載置された媒体と前記給送ローラーとの接触部より下流側に位置し、前記給送ローラーとの間で媒体をニップして分離する、前記給送ローラーに対して接離可能な分離部を備えることを特徴とする。
【００２０】
本発明の第８の態様は、第１から第７の態様のいずれかにおいて、前記媒体載置部に載置された媒体の側端をガイドする一対のエッジガイドを備え、前記一対のエッジガイドのうち少なくとも一つは、媒体を給送する際、媒体の側端から離れる方向に変位可能に設けられていることを特徴とする。
【００２１】
本態様によれば、前記媒体載置部に載置された媒体の側端をガイドする一対のエッジガイドを備え、前記一対のエッジガイドのうち少なくとも一つは、媒体を給送する際、媒体の側端から離れる方向に変位可能に設けられているので、媒体給送時に媒体の側端と前記エッジガイドとの間の摩擦力を無くすことができ、或いは減らすことができ、ひいては媒体を適切に給送できる。
【図面の簡単な説明】
【００２２】
【図１】本発明に係るインクジェットプリンターの外観斜視図。
【図２】本発明に係るインクジェットプリンターの用紙搬送経路の略全体を示す側断面図。
【図３】本発明に係るインクジェットプリンターの用紙搬送経路の一部領域を示す側断面図。
【図４】本発明に係るインクジェットプリンターの用紙給送経路を示す側断面図。
【図５】本発明に係るインクジェットプリンターの用紙給送経路を示す側断面図。
【図６】用紙給送部位の拡大図。
【図７】用紙給送部位の拡大図。
【図８】用紙給送部位の斜視図。
【図９】用紙給送部位の斜視図。
【図１０】給送制御の内容を示すフローチャート。
【発明を実施するための形態】
【００２３】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２４】
図１は本発明に係る「記録装置」の一実施形態であるインクジェットプリンター（以下「プリンター」と言う）１の外観斜視図、図２はプリンター１の用紙搬送経路の略全体を示す側断面図、図３はプリンター１の用紙搬送経路の一部領域を示す側断面図である。  
また、図４、図５はプリンター１の用紙給送経路を示す側断面図、図６、図７は用紙給送部位の拡大図、図８、図９は用紙給送部位の斜視図、図１０は給送制御の内容を示すフローチャートである。
【００２５】
■■■プリンターの全体構成について■■■■■■■■■■■■■■■■■■■■■■
以下、図１及び図２を参照しつつ媒体の一例としての記録用紙にインクジェット記録を行うプリンター１の全体構成について概説する。  
図１においてインクジェットプリンター１は、記録用紙に記録を行う装置本体２Ａの上部にスキャナー部３を備え、装置本体２Ａの下側には増設ユニット２Ｂ、２Ｃを備えている。装置本体２Ａは用紙カセット１０Ａを備え、増設ユニット２Ｂは、用紙カセット１０Ｂを備え、増設ユニット２Ｃは用紙カセット１０Ｃを備えている。増設ユニット２Ｂ、２Ｃのこれらは用紙収容枚数を増やす為のオプションユニットであり、装置本体２Ａに対して任意的に取り付けられる。
【００２６】
符号５は、プリンター１の各種操作を行う操作部であり、符号４は、記録が行われて排出される記録用紙を受けるトレイであり、より具体的には直近に記録が行われた記録面を下にして排出される記録用紙を受けるフェイスダウン排紙トレイである。また符号３５は給送ユニットであり、不図示の回動支点を中心にして回動することにより、装置本体２Ａに対して開閉することができる。
【００２７】
符号６は給送ユニット３５を構成する開閉カバーであり、揺動軸６ａ（図２）を中心に揺動可能に構成されており、矢印ｅ、ｆで示す方向に開くことができる。図１において仮想線及び符号６’は、開閉途中の開閉カバーを示している。  
開閉カバー６の内側には手差しトレイ４１（図２）が設けられている。手差しトレイ４１は揺動軸４１ａを中心に回動し、開閉カバー６とともに開閉できる様になっている。尚、図２に示す手差しトレイ４１は収納姿勢であり、図２の状態から時計回り方向に開き、斜め上方を向いた状態で、手差し給紙を可能とする。
【００２８】
尚、プリンター１は操作部５が配置された側が装置手前側であり、開閉カバー６が設けられた側が装置右側面となる。即ちプリンター１における記録用紙の給送、搬送、排出は、装置左右方向に沿って行われる。
【００２９】
続いて図２を参照しつつプリンター１における用紙搬送経路について概説する。プリンター１は、用紙カセット１０Ａからの給送経路（カセット給送軌跡Ｓ１参照）、図２では図示を省略する用紙カセット１０Ｂ、１０Ｃからの給送経路（増設カセット給送軌跡Ｓ２参照）、媒体としての用紙を載置する手差しトレイ４１からの給送経路（手差し給送経路Ｓ３参照）、のこれら３つの用紙給送経路を有している。
【００３０】
またプリンター１は、直近に記録が行われた記録面を上にして排出するフェイスアップ排出（フェイスアップ排出軌跡Ｔ１参照）、直近に記録が行われた記録面を下にして排出するフェイスダウン排出（フェイスダウン排出軌跡Ｔ２参照）、のこれら２つの用紙排出方法を有している。
【００３１】
尚、図２において符号７はフェイスアップ排出される用紙を受けるフェイスアップ排紙トレイを示している。このフェイスアップ排紙トレイ７は、回動軸７ａを中心に回動することにより、図２に示す収納状態と、図示しない開放状態とを取り得る。
【００３２】
そしてプリンター１は、第１搬送経路としての記録搬送経路Ｒ１、第２搬送経路としてのスイッチバック経路Ｒ２、第３搬送経路としての反転経路Ｒ３、第４搬送経路としてのフェイスダウン排出経路Ｒ４、また更にフェイスアップ排出経路Ｒ５、のこれら５つの用紙搬送経路を備えている。
【００３３】
図２において符号３３は不図示の駆動源により駆動されるフラップ（経路切り替え部材）を示しており、図２の実線及び符号３３で示す状態と、仮想線及び符号３３’で示す状態とを切り換える。
【００３４】
フラップ３３が図２の実線で示す状態にある場合、記録用紙はフェイスダウン排出経路Ｒ４に案内され、そしてフェイスダウン排出軌跡Ｔ２で示されるようにフェイスダウン排出される。フラップ３３が図２の仮想線および符号３３’の状態にある場合、記録用紙はフェイスアップ排出経路Ｒ５に案内され、そしてフェイスアップ排出軌跡Ｔ１で示されるようにフェイスアップ排出される。
【００３５】
尚、図２において符号９は各種制御を行う制御部を示している。制御部９は、不図示の外部コンピューターで動作するプリンタドライバ或いは制御部９が備えるプリンタドライバにより生成された、記録を行う為のデータである記録データを取得する。そして当該記録データに基づき、インクジェット記録ヘッド（以下「記録ヘッド」）８や不図示のモーターにより駆動される各種用紙搬送ローラー類や、各経路切り替え部材（フラップ）、また後述するリフター４０や変位部４３ｂなどを制御する。また制御部９は、各種センサー（例えば記録用紙の通過を検出するセンサー）の検出状態に基づき必要な制御を行う。尚、図２において制御部９は概念的に示したものであり、実際には装置本体２Ａ内の所定の位置に設けられた回路基板により構成される。  
以下、更に図２ではレジストローラー対１７までの用紙給送経路を説明する。
【００３６】
装置本体２Ａに着脱可能に設けられる用紙カセット１０Ａはホッパー１１を備えており、ホッパー１１が軸１１ａを中心に揺動することでより、用紙カセット１０Ａに収容された記録用紙Ｐが、図示しないモーターにより回転駆動される給送ローラー１２に対し接離する。
【００３７】
給送ローラー１２により用紙カセット１０Ａから送り出された記録用紙は、分離ローラー対１３によるニップ位置を通過することで分離（重送防止）され、搬送ローラー対１４からの送り力を受けてレジストローラー対１７に到達する。装置本体２Ａの下に位置する増設ユニット２Ｂ、２Ｃ（図１）も同様に給送ローラー１２、分離ローラー対１３を備えており、各用紙カセットから送り出された記録用紙Ｐは図２に示す搬送ローラー対１４からの送り力を受けて、レジストローラー対１７に到達する。  
尚、手差しトレイ４１からの用紙給送経路（手差し給送経路Ｓ３）については後に詳述する。
【００３８】
以下、図３を参照しつつレジストローラー対１７より下流の用紙搬送経路について説明する。尚、図３では記録用紙がフェイスダウン排出経路Ｒ４を介してフェイスダウン排出されることを前提に説明する。
【００３９】
先ず、各用紙搬送経路に設けられたローラーについて説明する。図３において符号１７はレジストローラー対、符号２０〜２９は全て記録用紙を搬送する搬送ローラー対を示しており、特に搬送ローラー対２０〜２８の一方側のローラーは符号Ｆで示され、他方側のローラーは符号Ｇで示される。ローラーＦは不図示のモーターにより駆動される駆動ローラーであり、一例として用紙幅方向に適宜の間隔を置いて複数設けられるゴムローラーである。
【００４０】
ローラーＧは記録用紙と接して従動回転する従動ローラーであり、用紙幅方向に適宜の間隔を置いて、ローラーＦと一対で設けられる。ローラーＧは外周に複数の歯を有するギザローラーであり、記録面に対して点接触することにより既記録面のインクの白ヌケや転着を抑制する。  
尚、従動ローラーＧは、各搬送ローラー対を構成する以外にも、用紙搬送経路上の適宜の位置に設けられており、特に既記録面に接する側に設けられている。
【００４１】
一方、レジストローラー対１７及び搬送ローラー対２９については、上記搬送ローラー対２０〜２８とは構成が異なる。具体的には、レジストローラー対１７は、回転駆動される駆動ローラー１７ａと、従動回転可能な従動ローラー１７ｂとを備え、このうち従動ローラー１７ｂは、外周面が滑らかな樹脂ローラーである。  
同様に搬送ローラー対２９は、回転駆動される駆動ローラー２９ａと、従動回転可能な従動ローラー２９ｂとを備え、このうち従動ローラー２９ｂは、外周面が滑らかな樹脂ローラーである。
【００４２】
上述した各ローラー間では、記録用紙は上下のガイド部材によって案内される。図２及び図３では図の煩雑化を避ける為、ガイド部材に符号は付していないが、各ローラー間を接続する太線が、上記ガイド部材を示している。また、図４以降では適宜上記ガイド部材の図示を省略している。
【００４３】
次に、第１搬送経路としての記録搬送経路Ｒ１は、記録用紙に記録を行う記録部としての記録ヘッド８の下を通り、その上流側及び下流側に延びる。本実施例では便宜上、記録搬送経路Ｒ１は、概ね図３の位置Ｍ１〜位置Ｍ２までとする。記録搬送経路Ｒ１において記録用紙は、レジストローラー対１７、ベルトユニット１８から送り力を受ける。尚、符号１９ａ、１９ｂは、後述する搬送ベルト１８ｃとの間で記録用紙Ｐをニップする従動ローラーである。
【００４４】
尚、本実施例において記録ヘッド８は、インクを吐出するノズルが用紙幅方向全域をカバーする様に設けられた記録ヘッド（所謂ラインヘッド）であり、用紙幅方向への移動を伴わないで用紙幅全体に記録が可能な記録ヘッドとして構成されている。
【００４５】
第２搬送経路としてのスイッチバック経路Ｒ２は、記録搬送経路Ｒ１と接続する搬送経路であって、記録ヘッド８の下を通った記録用紙を送り込んだ後（図３左方向）、スイッチバックさせて送り込み方向とは逆方向（図３右方向）に搬送する経路であり、後述するフェイスダウン排出経路Ｒ４に対し湾曲の内側に位置している。本実施例では便宜上、スイッチバック経路Ｒ２は概ね図３の位置Ｍ３より左側とする。スイッチバック経路Ｒ２において記録用紙は、搬送ローラー対２６から送り力を受ける。
【００４６】
第３搬送経路としての反転経路Ｒ３は、スイッチバック経路Ｒ２と接続する搬送経路であって、前記逆方向（図３右方向）に搬送された記録用紙を、記録ヘッド８の上側を迂回させて反転させ、記録搬送経路Ｒ１における記録ヘッド８の上流側位置（本実施例ではレジストローラー対１７の上流位置）で合流させる。本実施例では便宜上、反転経路Ｒ３は概ね図３の位置Ｍ３から位置Ｍ４に至る経路とする。反転経路Ｒ３において記録用紙は、搬送ローラー対２７、２８、２９から送り力を受ける。
【００４７】
第４搬送経路としてのフェイスダウン排出経路Ｒ４は、記録搬送経路Ｒ１と接続する搬送経路であって、記録ヘッド８の下を通った記録用紙を記録ヘッド８と対向した面を内側にして湾曲させ、反転させて排出する為の経路である。本実施例では便宜上、フェイスダウン排出経路Ｒ４は概ね図３の位置Ｍ２より左側とする。フェイスダウン排出経路Ｒ４において記録用紙は、搬送ローラー対２０、２１、２２、２３、２４、２５から送り力を受ける。
【００４８】
尚、各搬送経路の接続部には搬送経路の切り替えを行う経路切り替え部材としての第１フラップ３１および第２フラップ３２が設けられている。第１フラップ３１は不図示の駆動手段から駆動力を受けることにより、揺動支点３１ａを中心に揺動可能となっている。また第２フラップ３２は不図示の係合部を介し第１フラップ３１と係合可能に設けられており、第１フラップ３１の揺動に応じ、揺動支点３２ａを中心に揺動する。  
これらフラップにより、用紙の進む経路が設定される。
【００４９】
■■■２．手差し給送経路について■■■■■■■■■■■■■■■■■■■■■
続いて、手差し給送経路Ｓ３における用紙給送について図４以降を参照しつつ説明する。  
図４及び図５において、符号１５は給送ローラーである。給送ローラー１５は、制御部９（図２）により制御される不図示の駆動モーターにより回転駆動され、接触している記録用紙を下流側へ送り出す。給送ローラー１５は、本実施形態では外周面が高摩擦材料（例えばゴム）で構成されたローラである。本実施形態において給送ローラー１５は全周に亘って外径がほぼ均一な円形状を成し、全周において用紙と接触可能なローラーである。
【００５０】
符号４０はリフターであり、手差しトレイ４１とともに媒体を載置する媒体載置部を構成する。リフター４０は付勢手段の一例であるばね４６により上昇方向に付勢されているとともに、制御部９（図２）により制御される不図示のカムにより押し下げられて下降する状態と、前記カムによる拘束を解除されてばね４６の付勢力を受けて上昇する状態と、を切換可能となっている。図４は、リフター４０の下降状態（給送待機状態）を、図５は上昇状態（給送状態）を示している。
【００５１】
図４に示す、リフター４０の下降状態即ち給送待機状態では、リフター４０の上面は、開状態の手差しトレイ４１とほぼ同一高さにあり、ほぼ平坦な面（用紙載置面）を形成し、給送前の用紙を支持する。
【００５２】
符号４２は手差しトレイ４１に載置された用紙の一方側エッジを規制するエッジガイドである。エッジガイド４２は用紙の両サイドをガイドする様に一対設けられており、図８、図９では符号４２ａ、４２ｂでその一部を示している。  
尚、本実施形態では用紙給送基準は用紙幅中心に設定されている。従って給送ローラー１５は用紙幅中央位置に設けられている。また、エッジガイド４２ａ、４２ｂは、用紙幅方向中央位置を対称にして同期して変位可能に構成されている。  
図８、図９において符号４５は、給送ローラー１５を覆うカバーである。
【００５３】
リフター４０の上面において給送ローラー１５と対向する位置には、図８及び図９に示す様に摩擦部材が設けられている。リフター４０が下降状態（給送待機状態）から上昇状態（給送状態）に切り換わると、図５に示すように記録用紙の束（符号Ｐｔで示す）が給送ローラー１５とリフター４０とによってニップされ、給送ローラー１５と接している最上位の記録用紙（符号Ｐ１で示す）が給送ローラー１５によって下流側に送り出される。このとき摩擦部材３６は、用紙束Ｐｔが下流側に送り出されないように保持する。
【００５４】
次に、符号１６は、所定の回転抵抗が付与された状態に設けられる分離ローラーである。分離ローラー１６は外周面が高摩擦材料（例えばゴム）で構成されたローラーあり、摩擦部材３６より用紙搬送方向下流側に位置し、給送ローラー１５との間で用紙をニップして分離する分離部を構成する。分離ローラー１６は、例えば給送される記録用紙Ｐ１に接し、記録用紙Ｐ１の給送に伴って従動回転する。
【００５５】
符号３７、３８、３９は、用紙先端或いは用紙後端の通過を検出する検出手段としてのセンサーである。センサー３７、３８、３９は、例えば発光部と受光部とを備える光学センサーであり、受光部の受光強度の変化を利用して、制御部９（図２）が用紙先端或いは用紙後端の通過を検出する。
【００５６】
手差しトレイ４１とリフター４０により支持された記録用紙の先端は、先端規制面４４に当接する。即ち先端規制面４４は、手差しトレイ４１とリフター４０により支持された記録用紙の先端位置を規制する。尚、本実施形態では、先端規制面４４は手差しトレイ４１とリフター４０の上面に対しほぼ直交する面となっている。
【００５７】
以下、先端規制面４４について図６以降を参照しつつ更に詳述する。  
先端規制面４４は、図８、図９に示す様に固定面４４ａと変位面４４ｂとを備えて構成されている。また固定面４４ａは固定部４３ａにより形成され、変位面４４ｂは変位部４３ｂにより形成されている。尚、固定面４４ａ及び変位面４４ｂには、リフター４０の昇降方向に沿って延びるリブが、用紙幅方向に適宜の間隔で設けられ、用紙先端との接触面積を減らしているが、図示は省略している。
【００５８】
固定部４３ａは、用紙幅方向において給送ローラー１５が配置された領域、即ち用紙幅方向中心領域に設けられており、変位部４３ｂは、固定部４３ａの両側に設けられている。図８及び図９において領域Ａは、固定部４３ａ（固定面４４ａ）の配置領域を示し、領域Ｂは、変位部４３ｂ（変位面４４ｂ）の配置領域を示している  
変位部４３ｂは、手差しトレイ４１とリフター４０により支持された記録用紙の先端から離れる方向に変位可能に設けられており、固定部４３ａは、変位部４３ｂの様な変位はせず固定的に設けられている。
【００５９】
変位部４３ｂは、制御部９（図２）により制御される不図示の電磁プランジャを駆動源として、変位面４４ｂを固定面４４ａと面一にする位置（図６、図８）と、変位面４４ｂを固定面４４ｂより用紙先端から遠ざける位置（図７、図９）とを変位する。  
尚、図６及び図７では、図示の便宜上、変位部４３ｂにハッチングを付して示している。
【００６０】
以下、図１１のフローチャートをもとに、適宜その他の図を参照しながら制御部９（図２）が行う給送時の制御について説明する。  
給送待機状態では、リフター４０は下降状態にあり、変位部４３ｂは、変位面４４ｂを固定面４４ａと面一にする位置にある（図６、図８）。  
制御部９は、印刷データを受信すると（ステップＳ１０１においてYes）、先ず変位部４３ｂを用紙先端から退避させる（ステップＳ１０２）。図７、図９において矢印ｍ１は、そのときの変位部４３ｂ（変位面４４ｂ）の移動方向を示している。
【００６１】
次に、変位部４３ｂの退避の後、或いは同時に、エッジガイド４２ａ、４２ｂを用紙エッジから退避させる（ステップＳ１０３）。図９において矢印ｍ３は、その際のエッジガイド４２ａ、４２ｂの退避方向を示している。  
ここで、エッジガイド４２ａ、４２ｂは、用紙エッジに対し進退する方向に変位可能に設けられているとともに、制御部９（図２）により制御される不図示の電磁プランジャを駆動源とし、用紙エッジに対し進退する方向に動作するよう構成されている。
【００６２】
次いで、リフター４０を上昇させ（ステップＳ１０４）、その後、給送ローラー１５を所定時間回転させる（ステップＳ１０５）。図９において矢印ｍ２は、リフター４０の上昇方向を示している。尚、リフター４０の上昇前に給送ローラー１５の回転を開始しても良い。  
ステップＳ１０５により、図５に示した様に最上位の記録用紙Ｐ１が送り出される。  
尚、図６、図７において符号５０、５１は、給送ローラー１５によって送り出される記録用紙を下流側に案内するガイド部材である。
【００６３】
最上位の記録用紙Ｐ１が送り出された後、制御部９は、リフター４０を下降させ（ステップＳ１０６）、エッジガイド４２ａ、４２ｂを元の位置に復帰させ（ステップＳ１０７）、変位部４３ｂを復帰させる（ステップＳ１０８）。
【００６４】
尚、各ステップの動作タイミングとして、ステップＳ１０２とステップＳ１０３は同時に実行しても良いし、ステップＳ１０３をステップＳ１０２より前に実行しても良い。  
また、ステップＳ１０４と同時に、ステップＳ１０２とステップＳ１０３を実行しても良い。
【００６５】
更に、ステップＳ１０７とステップＳ１０８は同時に実行しても良いし、ステップＳ１０８をステップＳ１０７より前に実行しても良い。  
また、ステップＳ１０６と同時に、ステップＳ１０７とステップＳ１０８を実行しても良い。  
尚、ステップＳ１０３及びステップＳ１０７については適宜省略しても構わない。
【００６６】
以上説明したプリンター１の構成を纏めると以下の通りとなる。即ちプリンター１は、記録用紙を給送する給送ローラー１５と、手差しトレイ４１に載置された記録用紙を押し上げて給送ローラー１５に当接させる給送状態と記録用紙を給送ローラー１５から離間させる待機状態とを切り換え可能なリフター４０と、リフター４０に載置された記録用紙の先端位置を規制する先端規制部４３とを備えている。そして先端規制部４３が、記録用紙の先端から離れる方向に変位可能な変位部４３ｂと、変位しない固定部４３ａとを備えて構成されている。
【００６７】
従って変位部４３ｂを記録用紙先端から離れる方向に変位させることにより、用紙先端と先端規制部４３との間の接触面積を減らすことができ、用紙先端と先端規制部４３との間の摩擦力を減らすことができる。その結果、リフター４０を待機状態から給送状態へ確実に切り換えることができ、或いは給送状態から待機状態へ確実に切り換えることができ、記録用紙の種類に拘わらず適切に用紙給送動作を完了することができる。  
具体的には、厚手の記録用紙、特にコート紙などの密度が高く重量が重い記録用紙であっても、リフター４０を確実に上昇させることができる。また、リフター４０を確実に上昇させるために、リフター４０を上昇方向に付勢する付勢手段であるばね４６の付勢力を極端に向上させる必要もなくなる。
【００６８】
尚、本実施形態ではリフター４０の昇降により手差しトレイ４１上に載置された記録用紙を給送ローラー１５に当接させる構成であるが、例えば所謂ホッパータイプの様に、手差しトレイ４１が揺動可能に設けられ、手差しトレイ４１の揺動によって載置した記録用紙を給送ローラー１５に当接させる構成であっても良い。図２に示した用紙カセット１０Ａのホッパー１１は、その一例である。従って図２に示した用紙カセット１０Ａに収容された記録用紙Ｐの先端位置を規制する先端規制部を、上記実施形態の様に固定部と変位部とで構成しても良い。
【００６９】
次に、変位部４３ｂは、リフター４０の待機状態から給送状態への切り換え動作中の少なくとも一定期間において用紙先端と接触しない位置に退避しているので、リフター４０の待機状態から給送状態への切り換え動作をより確実に行うことができる。
【００７０】
尚、上述のように本実施形態では、変位部４３ｂは、リフター４０の待機状態から給送状態への切り換え動作の開始前に用紙先端と接触しない位置への退避を完了する（図１０のステップＳ１０２）。従ってリフター４０の待機状態から給送状態への切り換え動作中の全期間において用紙先端と先端規制部４３との間の接触面積を減らすことができ、リフター４０の待機状態から給送状態への切り換え動作を更に確実に行うことができる。
【００７１】
また、変位部４３ｂは、リフター４０の給送状態から待機状態への切り換え動作中の少なくとも一定期間（本実施形態では全期間）において用紙先端と接触しない位置に退避しているので、リフター４０によって押し上げられた記録用紙がリフター４０とともに円滑に下降することができる。
【００７２】
また本実施形態では、固定部４３ａは、用紙給送方向と交差する方向である用紙幅方向において給送ローラー１５の配置位置に対応した位置に設けられている。
【００７３】
また本実施形態では、固定部４３ａは、用紙幅方向において用紙中央領域に位置し、変位部４３ｂは、固定部４３ａの両側に設けられているので、用紙幅方向において変位部４３ｂが用紙先端に対し左右対称に位置することとなり、これにより変位部４３ｂが変位した際の記録用紙の斜行を抑制できる。
【００７４】
また本実施形態では、リフター４０に載置された記録用紙と給送ローラー１５との接触部より下流側に位置し、給送ローラー１５との間で記録用紙をニップして分離する、給送ローラー１５に対して接離可能な分離部としての分離ローラー１６を備える。
【００７５】
また本実施形態では、手差しトレイ４１及びリフター４０に載置された記録用紙の側端をガイドする一対のエッジガイド４２ａ、４２ｂを備え、一対のエッジガイド４２ａ、４２ｂのうち少なくとも一つ（本実施形態では双方）は、記録用紙を給送する際、記録用紙の側端から離れる方向に変位可能に設けられている。これにより、用紙給送時に記録用紙の側端とエッジガイド４２ａ、４２ｂとの間の摩擦力を無くすことができ、或いは減らすことができ、ひいては記録用紙を適切に給送できる。
【００７６】
また、本実施形態は以下の様な変形も可能である。  
（１）上記実施形態では、用紙種別に拘わらず変位部４３ｂを記録用紙先端から離れる方向に変位させるが、用紙種別に応じて変位部４３ｂを変位させても良い。例えば、ドライバ情報から得られる記録用紙の紙種情報に基づいて記録用紙（用紙束）の重さを判断し、用紙束の重さが所定値より重い場合にのみ、変位部４３ｂを変位させる様に構成しても良い。
（２）上記実施形態では、手差しトレイ４１及びリフター４０に載置された記録用紙の枚数に拘わらず変位部４３ｂを記録用紙先端から離れる方向に変位させるが、手差しトレイ４１及びリフター４０に載置された記録用紙の枚数に応じて変位部４３ｂを変位させても良い。例えば、手差しトレイ４１及びリフター４０に載置された記録用紙の積載高さを検知するセンサーを設け、当該センサーから得られる記録用紙の積載高さに基づいて用紙束の重さを判断し、用紙束の重さが所定値より重い場合にのみ、変位部４３ｂを変位させる様に構成しても良い。
（３）リフター４０を付勢する付勢手段であるばね４６により付勢力を調整可能に構成しても良い。またその場合、積載された記録用紙（用紙束）の重さに応じて付勢力を調整可能に構成しても良い。一例として、記録用紙の重さが重くなるほど、付勢力を強くする。記録用紙の重さは、ドライバ情報から得られる記録用紙の紙種情報（紙質や厚みを判断可能な情報）に応じて取得しても良いし、記録用紙の重さを検出する手段を設け、その検出手段から得る様にしても良い。或いは、ユーザーが記録用紙の重さに関する設定を行う為の操作部を構成し、その操作部の状態に基づいて上記付勢力を設定しても良い。
【符号の説明】
【００７７】
１…インクジェットプリンター、２Ａ…装置本体、２Ｂ、２Ｃ…増設ユニット、３…スキャナー部、４…フェイスダウン排紙トレイ、５…操作部、６…開閉カバー、７…フェイスアップ排紙トレイ、８…記録ヘッド、９…制御部、１０Ａ〜１０Ｃ…用紙カセット、１１…ホッパー、１２…給送ローラー、１３…分離ローラー対、１４…搬送ローラー対、１５…給送ローラー、１６…分離ローラー、１７…レジストローラー対、１８  ベルトユニット、１８ａ  駆動プーリー、１８ｂ  従動プーリー、１８ｃ  搬送ベルト、１８ｄ  ベルト支持部、１８ｅ  ベルト支持部、１９ａ、１９ｂ  従動ローラー、２０〜２９…搬送ローラー対、３１…第１フラップ、３２…第２フラップ、３３…フラップ、３５…給送ユニット、３６…摩擦部材、３７〜３９…センサー、４０…リフター、４１…手差しトレイ、４２（４２ａ、４２ｂ）…エッジガイド、４３…先端規制部、４３ａ…固定部、４３ｂ…変位部、４４…先端規制面、４４ａ…固定面、４４ｂ…変位面、４５…給紙ローラーカバー、４６…ばね、
Ｆ…駆動ローラー、Ｇ…従動ローラー、Ｒ１…記録搬送経路（第１搬送経路）、Ｒ２…スイッチバック経路（第２搬送経路）、Ｒ３…反転経路（第３搬送経路）、Ｒ４…フェイスダウン排出経路（第４搬送経路）、Ｒ５…フェイスアップ排出経路（第４搬送経路）、
Ｐ、Ｐ１、Ｐ２、Ｐ３、Ｐ４、Ｐ５…記録用紙、Ｐｔ…用紙束、
Ｓ１…カセット給送軌跡、Ｓ２…増設カセット給送軌跡、Ｓ３…手差し給送軌跡、Ｔ１…フェイスアップ排出軌跡、Ｔ２…フェイスダウン排出軌跡
【図１】
2017145070.tif 000003
【図２】
2017145070.tif 000004
【図３】
2017145070.tif 000005
【図４】
2017145070.tif 000006
【図５】
2017145070.tif 000007
【図６】
2017145070.tif 000008
【図７】
2017145070.tif 000009
【図８】
2017145070.tif 000010
【図９】
2017145070.tif 000011
【図１０】
2017145070.tif 000012